(57)【要約】【課題】  支柱間に掛け張った日除け、目隠しまたは植栽のための網等をベランダのフェンスまたは周壁等の構築体より離隔させた態様に保持できる可動フレーム、パネルまたは支柱を提供する。【解決手段】  ベランダのフェンスまたは周壁等の構築体の内側に沿って設備する日除け、目隠し、植栽等のための可動フレーム、パネルまたは支柱である。構築体に固定された複数本のガイドレール４，４と、ガイドレール４，４に移動自在に支持された左右一対の支柱１，１と、左右一対の支柱１，１間に掛け渡した伸縮自在な上下複数段の横フレーム６、左右一対の支柱１，１間に掛け張られた可撓性のネット７とで可動体を構成している。【選択図】        図１
2010112134.tif 000002
【特許請求の範囲】
【請求項１】
ベランダのフェンスまたは周壁等の構築体の内側または外側に沿って設備する日除け、目隠し、植栽等のための可動フレーム、パネルまたは支柱であって、
前記構築体に固定された１本または複数本のガイドレールと、
前記ガイドレールに移動自在に支持された支柱、左右一対または複数の支柱あるいは伸縮自在な横フレーム、または金網、金属等のパネルを備えてなり、
前記左右一対または複数の支柱を、前記伸縮自在の横フレームの伸縮により前記ガイドレールに沿って移動可能としたことを特徴とする可動フレーム、パネルまたは支柱。
【請求項２】
支柱間、フレームに日除け、目隠し、植栽のためのネット等を設置した構成、あるいは支柱間、フレーム、金網等のパネルにプランターまたは植栽のための鉢等を置く固定または着脱自在の棚を備えた構成としたことを特徴とする請求項１記載の可動フレーム、パネルまたは支柱。
【請求項３】
ガイドレールに直角または任意の角度で自立でき、かつガイドレールに沿って移動可能とした請求項１または２記載の可動フレーム、パネルまたは支柱。
【請求項４】
金網のパネルの横桟または横フレームに開口部を設けてその開口部を塞ぐ着脱可能な遮蔽板を設けてあることを特徴とする請求項１または２記載の可動パネル。
【発明の詳細な説明】
【技術分野】
【０００１】
本発明は、ベランダ、テラス、屋上等のフェンスまたは構築体の周壁等に沿って設備する日除け、目隠しまたは植栽のための可動フレーム、パネルまたは支柱に関するものである。
【背景技術】
【０００２】
建物のベランダにおいて美観保持、目隠し、物の落下防止、日除け、風圧緩和および植栽等のために遮蔽網を装備することと、その遮蔽網を昇降できるようにすることは、従来から種々のものが提案されている（例えば、実開平７−６３０２号公報、特開２００２−４７５３号公報、特開２００１−４５９５６号公報参照）。また、ベランダのフェンスに目隠し板を取り付けるための構造は、登録実用新案第３０１４１６６号公報に、日除けや目隠しに使用される可動フレームであって植物をからませることができるものとしては、特許第３７５８４９８号公報および特許第３９１６９０４号公報に、植物をからませることにより日除けや目隠し等に用いることができる給水設備付きフェンスは、特開２００２−１６８００８公報にそれぞれ開示されている。
【０００３】
また、固定の正方形または長方形枠内で日除け、植栽パネルが上下に可動する構造は、特開２００４−６０６０２７号公報に、アジャスターにより調節可能になポール間に日除け、目隠し用の正方形のブラインドを取り付ける構造は、登録実用新案第３０９８３７５号公報に、よしず、ネットや複数の金網様のパネルを巻き上げ、またはカーテンレールや螺旋状の棒に沿ってスライドさせる構造は、特開２００６−２５７８５４号公報に、植栽のために窓先の空間全体を金網状のパネルで覆う構造は、特開９−１４０２６６号公報に、日除けのための遮蔽膜の片端を室内のベランダ側の窓外側に着脱自在のファスナーを介して取り付け、他端をフェンスに取り付ける構造は、特開２００３−３２８４３１号公報にそれぞれ掲載されている。
【特許文献１】実開平７−６３０２号公報
【特許文献２】特開２００２−４７５３号公報
【特許文献３】特開２００１−４５９５６号公報
【特許文献４】登録実用新案第３０１４１６６号公報
【特許文献５】特許第３７５８４９８号公報
【特許文献６】特許第３９１６９０４号公報
【特許文献７】特開２００２−１６８００８号公報
【特許文献８】特開２００４−６０６０２７号公報
【特許文献９】登録実用新案第３０９８３７５号公報
【特許文献１０】特開２００６−２５７８５４号公報
【特許文献１１】特開９−１４０２６６号公報
【特許文献１２】特開２００３−３２８４３１号公報
【発明の開示】
【発明が解決しようとする課題】
【０００４】
建物のベランダにおいて美観保持、目隠し、物の落下防止、日除け、風圧緩和、鳥除けおよび植栽等のためのこの種のフェンスは、陽射しの変化、目隠しの態様、清掃、塗り替え（メンテナンス）あるいは物干し等のために、それに張ってある網等を移動できることが必要であったり好ましい場合が多いが、前掲の特許文献にも掲載されているように、従来のこの種のフェンスにあって、特に植物をからませる網を張ってあるものにあっては、網にからまった植物を損傷させずその網を移動させることが困難で、所要の対応ができないものであった。また、所定の枠内で日除けや植栽のためのパネルを移動したり、パネルの一部を折り畳むものはあるが、これらは枠そのものを移動可能として所要の対応ができて必ずしも利便性に優れたものでないのが実情である。
【０００５】
そこで本発明は、ベランダのフェンスまたは周壁等の構築体の内側または外側に固定された１本または複数本のガイドレールの内側に位置して移動自在に支持された左右一対または複数の支柱間に伸縮可能なフレームを掛け渡した構成とし、左右一対または複数の支柱を、伸縮自在のフレームの伸縮により、ベランダのフェンスまたは構築体の内側または外側に固定されたガイドレールの内側または外側に沿って移動可能としたことにより、伸縮自在のフレームに掛け張った日除けや目隠しのための網等をベランダのフェンスまたは周壁等の構築体より離隔させた態様に保持できる可動フレーム、パネルまたは支柱を提供することを目的とするものである。
【課題を解決するための手段】
【０００６】
上記目的を達成するため本発明は、ベランダのフェンスまたは周壁等の構築体の内側または外側に沿って設備する日除け、目隠し、植栽等のための可動フレーム、パネルまたは支柱であって、前記構築体に固定された１本または複数本のガイドレールと、前記ガイドレールに移動自在に支持された支柱、左右一対または複数の支柱あるいは伸縮自在な横フレーム、または金網、金属等のパネルを備えてなり、前記左右一対または複数の支柱を、前記伸縮自在の横フレームの伸縮により前記ガイドレールに沿って移動可能としたことを特徴とするものである。
【０００７】
本発明においては、支柱間、フレームに日除け、目隠し、植栽のためのネット等を設置した構成、あるいは支柱間、フレーム、金網等のパネルにプランターまたは植栽のための鉢等を置く固定または着脱自在の棚を備えた構成とすること、ガイドレールに直角または任意の角度で自立でき、かつガイドレールに沿って移動可能とすること、あるいは、金網のパネルの横桟または横フレームに開口部を設けてその開口部を塞ぐ着脱可能な遮蔽板を設ける構成とするのが好適である。
【発明の効果】
【０００８】
本発明によれば、支柱間に掛け張った日除け、目隠しまたは植栽のための網等をベランダのフェンスまたは周壁等の構築体より離隔させた態様に保持でき、特にその網等に植物がからまった態様においても植物をベランダのフェンスまたは周壁等の構築体から確実に離隔させた態様に保持して、植物を損傷させず支柱を移動させて、所要の対応が的確にできる効果が得られる。また、本発明によれば、ベランダの外壁等の緑化設備等を簡易かつ容易に設けることもできる。
【発明を実施するための最良の形態】
【０００９】
図１は左右一対の支柱を備えてその間に可撓性のネットを掛け張った態様の正面図、図２は同上側面図、図３は同上支柱の下端部にその固定機構を備えたものの側面図、図４はガイドレールに移動自在に支持する構造を示す部分詳細側面図（Ａ）および斜視図（Ｂ）である。また、図５は複数の支柱により構成した可動体の正面図、図６は可動フレームにより構成した可動体の正面図、図７は折り畳み可動体の正面図、図８は図７のＡ−Ａ方向の平面図（Ａ）および折り畳んだ状態の平面図（Ｂ）、図９は図１に示す構成において横フレームを中折れ状としたものの正面図、図１０は図２に対応して他の形態を示す側面図である。
【００１０】
図１ないし図４に示す構成において、支柱１，１は、ベランダ２の構築体、すなわちフェンスの左右端にあたる起立壁である周壁３の内側に固定した上下２段のガイドレール４，４に移動自在に支持されている。すなわち、支柱１，１はそれに取り付けられたコロ５，５がガイドレール４，４に受け支持されていて、支柱１，１は垂直姿勢（ガイドレール４，４に対して直角な姿勢）で左右に移動自在となっている。なお、支柱１，１はガイドレール４，４に対して直角でなく任意の角度に支持されている姿勢とする態様も可能である。また、ガイドレール４，４を周壁３の外側に固定して支柱１，１を移動自在に支持された構成とすることも可能である。
【００１１】
前記ガイドレール４，４の内側に位置してガイドレール４，４に移動自在に支持された左右一対の支柱１，１には、伸縮自在の横フレーム６が上下複数段に掛け渡してあって、左右一対の支柱１，１は横フレーム６によって一体となっている。伸縮自在の横フレーム６は、その基部６ａに伸縮部６ｂが抜き差し自在になっており、図示の実施の形態にあっては左右一対の支柱１，１の上端部、上下の略中間部および下部の３段に渡って水平状に設けられている。
【００１２】
左右一対の支柱１，１間には可撓性のネット７が掛け張られて日除け、目隠しまたは植栽のための可動体が構成されている。前記左右一対の支柱１，１は、そのいずれか一方または両方が伸縮自在の横フレーム６の伸縮にともなってガイドレール４，４に沿って移動可能であるから、ベランダ２に設置された日除け、目隠しまたは植栽のための可動体は、ベランダ２のフェンス部分を開閉可能な構成となっている。８はベランダ床、９はベランダ天井である。
【００１３】
支柱１，１には、図３に示すようにその下端部に固定機構１０を備えたものとすれば、固定機構１０によって移動自在の支柱１，１をベランダ２の構築体に固定しておくことができるので、支柱１，１の不用意な移動を防止できるとともに使用上の安全性をいっそう向上させることができる。
【００１４】
左右一対の支柱１，１の内側には、前記のように日除け、目隠しまたは植栽のための可撓性のネット７を張ってあり、さらに支柱１，１にはその内側下部に鉢１１（またはプランター等）の載台１２を備えた構成としているが、植栽のための鉢１１（またはプランター等）の載台１２は支柱１，１の内側に設けられていて、植栽した植物はその根元から葉茎部に至るまで支柱１，１の内側に位置するので、植栽が左右一対の支柱１，１の移動および一対の支柱１，１間に構成された可動体の開閉の妨げとなることはない。
【００１５】
本発明においては、図５に示すように、左右一対の支柱１，１の中間にもう１本の支柱１を設けて、これら複数の支柱１，１，１により構成した可動体とすることができる。この構成においては左右一対の支柱１，１および中間の支柱１に格子状パネル１３を取り付けて１枚状の可動体を構成していて、可動体はガイドレール４，４に沿って引き戸状に移動可能で、ベランダ２において日除け、目隠し、植栽等の位置を変更することができるものである。
【００１６】
図６に示すものも方形状のフレーム１４内に斜め格子パネル１５を構成した１枚状の可動体であってガイドレール４，４にそって引き戸状に移動可能である。図７および図８に示すものは、左右一対の支柱１，１間に、２つ折りの格子状パネル１６，１６を取り付けた折り畳み可動体を構成しており、ヒンジ部１７により内側方向に２つ折り可能となっている。なお、図７には折り畳み可動体を２つ備えた態様を例示している。
【００１７】
本発明に係る図示の実施の形態においては、ベランダ２の内側にガイドレール４，４が内側に迫り出しており、そのガイドレール４，４のさらに内側に位置して支柱１，１が支持されてさらに内側に張り出しているので、日除け、目隠しまたは植栽のため可撓性のネット７、格子状パネル１３、斜め格子状パネル１５、２つ折りの格子状パネル１６，１６、また支柱１，１に植物がからまっても、その植物をベランダ２のフェンス部分または構築体から確実に離隔させた態様に保持できる。このため、可動体の移動によっても植栽を損傷することなく、陽射しの変化、目隠しの態様、清掃、塗り替え（メンテナンス）あるいは物干し等に的確に対応することができるものである。
【００１８】
なお、図９に示すように、伸縮自在の横フレーム６を中折れアーム１８に換えた構成としてもよい。また、図１０に示すように、支柱１の上端部に内側方向斜め上方に延びる転倒防止アーム１９を設けた構成とすることにより、支柱１を含めた可動体がベランダ２の外方に転倒する姿勢で転倒防止アーム１９がベランダ天井９に支えられるので、高層階のような強風にさらされるような状況下においても高い安全性を確保することができる。図１０に示すように、鉢１１（またはプランター等）の載台１２を支柱１に着脱可能な構成としてもよい。
【００１９】
本発明において、金網、金属等のパネルに換えて木製のラティス等のパネルを用いることができる。また可撓性のネットとしては繊維性のネットとすることができる。さらに、集合住宅の高層階等では、強風にも耐えられるように支柱の本数を多くして（つまり支柱間の幅を狭くして）風圧、荷重を分散させることで安全性を高くするができる。この場合には支柱を細くすることが可能となるから、視界の邪魔になるのを回避でき、資材費の削減を図ることもできて好都合である。
【図面の簡単な説明】
【００２０】
【図１】本発明の一実施の形態であって左右一対の支柱を備えてその間に可撓性のネットを掛け張った態様の正面図である。
【図２】同上側面図である。
【図３】同上支柱の下端部にその固定機構を備えたものの側面図である。
【図４】ガイドレールに移動自在に支持する構造を示す部分詳細側面図（Ａ）および斜視図（Ｂ）である。
【図５】複数の支柱により構成した可動体の正面図である。
【図６】可動フレームにより構成した可動体の正面図である。
【図７】折り畳み可動体の正面図である。
【図８】図７のＡ−Ａ方向の平面図（Ａ）および折り畳んだ状態の平面図（Ｂ）である。
【図９】図１に示す構成において横フレームを中折れ状としたものの正面図である。
【図１０】図２に対応して他の形態を示す側面図である。
【符号の説明】
【００２１】
１，１  支柱
２  ベランダ
３  周壁
４，４  ガイドレール
５，５  コロ
６  横フレーム
６ａ  横フレームの基部
６ｂ  横フレームの伸縮部
７  可撓性のネット
８  ベランダ床
９  ベランダ天井
１０  固定機構
１１  鉢
１２  載台
１３  格子状パネル
１４  方形状のフレーム
１５  斜め格子状パネル
１６，１６  ２つ折りの格子状パネル
１７  ヒンジ部
１８  中折れアーム
１９  転倒防止アーム
【図１】
2010112134.tif 000003
【図２】
2010112134.tif 000004
【図３】
2010112134.tif 000005
【図４】
2010112134.tif 000006
【図５】
2010112134.tif 000007
【図６】
2010112134.tif 000008
【図７】
2010112134.tif 000009
【図８】
2010112134.tif 000010
【図９】
2010112134.tif 000011
【図１０】
2010112134.tif 000012